(57)【特許請求の範囲】
【請求項１】
アナログ回線を終端する網制御装置とホスト装置との間に介在し、アナログ回線を介してデータ伝送を行うための変復調機能を有する変復調装置において、
受信信号に基づいて受信信号レベルを算出する受信信号レベル算出手段と、
上記受信信号レベルの補正値を記憶する受信信号レベル補正値記憶手段と、
上記受信信号レベル算出手段が算出した受信信号レベルと、上記受信信号レベル補正値記憶手段に記憶されている補正値に基づいて、補正受信信号レベルを算出する受信信号レベル補正手段を備え、
ホスト装置から受信信号レベルの通知が要求されると、上記受信信号レベル補正手段が算出した補正受信信号レベルを、ホスト装置に応答することを特徴とする変復調装置。
【請求項２】
前記受信信号レベル補正値記憶手段は、所定ビット数の補正パラメータを記憶するビットスイッチと、
上記ビットスイッチに記憶された補正パラメータに対応した補正値を算出する補正値算出手段と、
上記補正値算出手段が算出した補正値を記憶する記憶手段からなることを特徴とする請求項１記載の変復調装置。
【請求項３】
前記受信信号レベル補正値記憶手段は、ホスト装置から指定される所定ビット数の補正パラメータを記憶するレジスタと、
上記ビットスイッチに記憶された補正パラメータに対応した補正値を算出する補正値算出手段と、
上記補正値算出手段が算出した補正値を記憶する記憶手段からなることを特徴とする請求項１記載の変復調装置。
【請求項４】
アナログ回線を終端する網制御装置とホスト装置との間に介在し、アナログ回線を介してデータ伝送を行うための変復調機能を有するとともに、内部に設けたメモリを介して、ホスト装置との間で所定のデータをやりとりする変復調装置において、
受信信号に基づいて受信信号レベルを算出する受信信号レベル算出手段と、
上記メモリに設けられ、上記受信信号レベルの補正値を記憶する受信信号レベル補正値記憶領域と、
上記受信信号レベル算出手段が算出した受信信号レベルと、上記受信信号レベル補正値記憶領域に記憶されている補正値に基づいて、補正受信信号レベルを算出する受信信号レベル補正手段を備え、
ホスト装置から補正値の読み込みが要求されると、そのときに指定された補正値を、上記受信信号レベル補正値記憶手段に保存するとともに、
ホスト装置から受信信号レベルの通知が要求されると、上記受信信号レベル補正手段が算出した補正受信信号レベルを、上記メモリに設けた受信信号レベル格納領域を介してホスト装置に応答することを特徴とする変復調装置。
【発明の詳細な説明】
【０００１】
【発明の属する技術分野】
本発明は、アナログ回線を終端する網制御装置とホスト装置との間に介在し、アナログ回線を介してデータ伝送を行うための変復調機能を実現する変復調装置、および、アナログ回線を終端する網制御装置とホスト装置との間に介在し、アナログ回線を介してデータ伝送を行うための変復調機能を実現するとともに、内部に設けたメモリを介して、ホスト装置との間で所定のデータをやりとりする変復調装置に関する。
【０００２】
【従来の技術】
アナログ回線を介してデータ伝送するデータ端末装置では、変復調装置を介して、伝送データをアナログ回線を介してやりとりできる信号に変換している。また、例えば、ファクシミリ装置では、受信信号の信号レベルが所定値よりも小さいときには、受信動作を行ってはいけない等、受信信号レベルとある処理の実効条件が規定されている場合がある。
【０００３】
そこで、従来、ファクシミリ装置の全体動作を制御するシステム制御部等においては、受信動作を開始または継続するとき、変復調装置から受信信号レベルを得て、その受信信号レベルが規定値以上の値になっているかどうかを調べるようにしている。
【０００４】
【発明が解決しようとする課題】
しかしながら、上述のように規定されている受信信号レベルの値は、データ端末装置を接続する回線の接続端における値であるために、従来、次のような不都合を生じていた。
【０００５】
すなわち、変復調装置は、直接回線に接続されてはおらず、変復調装置と回線の接続端との間には、例えばＡＡ型の網制御装置が介在する。この網制御装置は、結合トランスやノイズフィルタ等を備えているため、変復調装置が受信する受信信号の信号レベルは、網制御装置が受信する受信信号の信号レベルよりも低下しており、したがって、変復調装置が検出できる受信信号の信号レベルは、実際に回線接続端で受信した受信信号の信号レベルと異なった値になるという事態を生じていた。
【０００６】
かかる事態を解消するためには、例えば、ファクシミリ装置毎に、網制御装置における信号の減衰値を測定しておき、システム制御部により、変復調装置から得た受信信号レベルを減衰値で補正することが考えられるが、かかる減衰値は、網制御装置の機種により相違し、また、仕向地の国によって異なるため、それらに対応するためにシステム制御部の処理が複雑になるという不都合を生じる。
【０００７】
本発明は、かかる実情に鑑みてなされたものであり、ホスト装置側の処理を軽減できる変復調装置を提供することを目的としている。
【０００８】
【課題を解決するための手段】
本発明は、アナログ回線を終端する網制御装置とホスト装置との間に介在し、アナログ回線を介してデータ伝送を行うための変復調機能を有する変復調装置において、受信信号に基づいて受信信号レベルを算出する受信信号レベル算出手段と、上記受信信号レベルの補正値を記憶する受信信号レベル補正値記憶手段と、上記受信信号レベル算出手段が算出した受信信号レベルと、上記受信信号レベル補正値記憶手段に記憶されている補正値に基づいて、補正受信信号レベルを算出する受信信号レベル補正手段を備え、ホスト装置から受信信号レベルの通知が要求されると、上記受信信号レベル補正手段が算出した補正受信信号レベルを、ホスト装置に応答するようにしたものである。
【０００９】
また、前記受信信号レベル補正値記憶手段は、所定ビット数の補正パラメータを記憶するビットスイッチと、上記ビットスイッチに記憶された補正パラメータに対応した補正値を算出する補正値算出手段と、上記補正値算出手段が算出した補正値を記憶する記憶手段から構成することができる。
【００１０】
また、前記受信信号レベル補正値記憶手段は、ホスト装置から指定される所定ビット数の補正パラメータを記憶するレジスタと、上記ビットスイッチに記憶された補正パラメータに対応した補正値を算出する補正値算出手段と、上記補正値算出手段が算出した補正値を記憶する記憶手段から構成することもできる。
【００１１】
また、アナログ回線を終端する網制御装置とホスト装置との間に介在し、アナログ回線を介してデータ伝送を行うための変復調機能を有するとともに、内部に設けたメモリを介して、ホスト装置との間で所定のデータをやりとりする変復調装置において、受信信号に基づいて受信信号レベルを算出する受信信号レベル算出手段と、上記メモリに設けられ、上記受信信号レベルの補正値を記憶する受信信号レベル補正値記憶領域と、上記受信信号レベル算出手段が算出した受信信号レベルと、上記受信信号レベル補正値記憶領域に記憶されている補正値に基づいて、補正受信信号レベルを算出する受信信号レベル補正手段を備え、ホスト装置から補正値の読み込みが要求されると、そのときに指定された補正値を、上記受信信号レベル補正値記憶手段に保存するとともに、ホスト装置から受信信号レベルの通知が要求されると、上記受信信号レベル補正手段が算出した補正受信信号レベルを、上記メモリに設けた受信信号レベル格納領域を介してホスト装置に応答するようにしたものである。
【００１２】
【発明の実施の形態】
以下、添付図面を参照しながら、本発明の実施例を詳細に説明する。
【００１３】
図１は、本発明の一実施例にかかるグループ３ファクシミリ装置を示している。
【００１４】
同図において、システム制御部１は、このグループ３ファクシミリ装置の各部の制御処理、および、グループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものである。
【００１５】
スキャナ４は、所定の解像度で原稿画像を読み取るためのものであり、プロッタ５は、所定の解像度で画像を記録出力するためのものであり、操作表示部６は、このファクシミリ装置を操作するためのもので、各種の操作キー、および、各種の表示器からなる。
【００１６】
符号化復号化部７は、画信号を符号化圧縮するとともに、符号化圧縮されている画情報を元の画信号に復号化するためのものであり、画像蓄積装置８は、符号化圧縮された状態の画情報を多数記憶するためのものである。
【００１７】
グループ３ファクシミリモデム９は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３３モデム、Ｖ．２９モデム、Ｖ．２７ｔｅｒモデムなど）を備えている。
【００１８】
網制御装置１０は、このグループ３ファクシミリ装置を公衆電話回線網に接続するためのものであり、自動発着信機能を備えている。
【００１９】
これらの、システム制御部１、システムメモリ２、パラメータメモリ３、スキャナ４、プロッタ５、操作表示部６、符号化復号化部７、画像蓄積装置８、グループ３ファクシミリモデム９、および、網制御装置１０は、内部バス１１に接続されており、これらの各要素間でのデータのやりとりは、主としてこの内部バス１１を介して行われている。
【００２０】
また、網制御装置１０とグループ３ファクシミリモデム９との間のデータのやりとりは、直接行なわれている。
【００２１】
さて、網制御装置１０は、図２に示すように、公衆電話回線網の加入者接続端であるモジュラーソケットＭＲに、モジュラージャックＭＪを介して接続され、受信信号は、モジュラージャックＭＪを介して入力され、結合トランス１０ａを介して信号成分のみが伝達され、ノイズフィルタ１０ｂを介してノイズ成分が除去された後に、グループ３ファクシミリモデム９に加えられる。
【００２２】
図３は、本発明の一実施例にかかるグループ３ファクシミリモデム９の復調ユニットの要部構成を示している。
【００２３】
同図において、受信信号ＳＲは、アナログ／デジタル変換器１５を介して対応するデジタル信号に変換された後、自動利得制御増幅器１６を介して一定振幅値の信号に増幅処理され、その後に、復調処理部１７に加えられる。
【００２４】
復調処理部１７は、入力される一定振幅値の受信信号（デジタル信号）に基づき、低域通過フィルタ処理、タイミング再生処理、自動等化処理、位相同期処理、判定処理、デスクランブラ処理等の周知の所定の復調処理を適用し、受信データＲＤを形成するものであり、その受信データＲＤは、内部バス１１を介して次段装置に加えられる。
【００２５】
自動利得制御増幅器１６は、入力した受信信号（デジタル信号）ＳＲを一定振幅値の信号に増幅処理したときの利得調整幅をあらわす利得調整幅信号ＳＳを形成し、この利得調整幅信号ＳＳは、受信信号レベル算出部１８に加えられる。
【００２６】
受信信号レベル算出部１８は、利得調整幅信号ＳＳに基づいて周知の受信信号レベル算出の演算処理を適用し、受信信号ＳＲの信号レベルを算出するものであり、その算出結果得られた受信信号レベル信号ＬＳは、受信信号レベル補正部１９に加えられている。
【００２７】
ビットスイッチ２０は、所定ビット数（例えば、３ビットあるいは４ビット等）のビット幅を備えたものであり、その出力データは、補正ビットデータＢＣとして受信信号レベル補正部１９に加えられている。
【００２８】
受信信号レベル補正部１９は、ビットスイッチ２０から加えられる補正ビットデータＢＣに対応した補正値を、内部に備えている補正値テーブル（後述）より得て、受信信号レベル算出部１８より入力した受信信号レベル信号ＬＳに、その補正値の値を加えて補正受信信号レベル信号を形成するものであり、その補正受信信号レベル信号は、ＲＡＭ２１の所定領域に保存される。
【００２９】
ＲＡＭ２１は、受信信号レベル補正部１９、および、グループ３ファクシミリモデム９の他の要素のワークエリアを構成するとともに、外部装置（この場合は、システム制御部１）との間で種々のデータをやりとりするためのインタフェース手段のバッファ機能を実現するものである。このＲＡＭ２１の記憶領域は、例えば、図４に示すように、受信信号レベル補正部１９が算出した補正受信信号レベルを保存するための補正受信信号レベル領域、受信信号レベル補正部１９が補正ビットデータＢＣに対応した補正値を保存するための補正値領域、および、他の適宜なワークエリアにそれぞれ分割割り当てされている。
【００３０】
図５（ａ）は、補正ビットデータＢＣが３ビットの場合の補正ビットデータＢＣと補正値との関係をあらわす補正値テーブルの一例を示したものであり、同図（ｂ）は、補正ビットデータＢＣが４ビットの場合の補正ビットデータと補正値との関係をあらわす補正値テーブルの一例を示したものである。このように、補正値テーブルは、補正値を１（ｄＢ）あるいは０．５（ｄＢ）単位に設定できることが望ましい。
【００３１】
以上の構成で、このグループ３ファクシミリ装置の出荷時には、網制御装置１０において、モジュラージャックＭＪからグループ３ファクシミリモデム９の受信信号入力端までの信号のレベル差が測定され、その測定結果の値を示す補正ビットデータＢＣをビットスイッチ２０が出力するように、ビットスイッチ２０の各ビットの値が設定される。
【００３２】
そして、電源投入時、グループ３ファクシミリモデム９の復調ユニットでは、図６に示したような処理を実行する。なお、この処理は、グループ３ファクシミリモデム９の全体処理のうち、本実施例にかかる復調ユニットの関連する部分の処理を示したものである。
【００３３】
まず、各種内部パラメータの初期化処理等の所定の初期化処理（処理１０１）を実行した後、受信信号レベル補正部１９は、ビットスイッチ２０から出力される補正ビットデータＢＣを入力し（処理１０２）、その補正ビットデータＢＣに対応した補正値を、補正値テーブルより取り出し、その補正値の値をＲＡＭ２１の補正値領域に保存し（処理１０３）、この処理を終了する。
【００３４】
このようにして、電源投入時に実行する初期処理において、そのときのビットスイッチ２０により設定されている補正ビットデータＢＣに対応した補正値をＲＡＭ２１に保存する。
【００３５】
そして、システム制御部１は、グループ３ファクシミリモデム９の受信信号レベルを参照する必要が生じると、図７に示した処理を実行して、受信信号レベルを読み込む。
【００３６】
まず、ＲＡＭ２１の補正受信信号レベル領域のアドレスを読み込みアドレスに設定して（処理２０１）、ＲＡＭ２１のワークエリアの所定領域に設定されているステータス情報（図示略）の読込リクエストビットＲＲＢを「１」にセットする（処理２０２）。
【００３７】
これにより、受信信号レベル補正部１９は、算出した補正受信信号レベル信号の値をＲＡＭ２１の補正受信信号レベル領域に保存し、ステータス情報の読込リクエストビットＲＲＢを「０」にクリアする。
【００３８】
一方、システム制御部１は、読込リクエストビットＲＲＢが、受信信号レベル補正部１９によってクリアされることを監視しており（判断２０３のＮＯループ）、読込リクエストビットＲＲＢがクリアされて判断２０３の結果がＹＥＳになると、ＲＡＭ２１の補正受信信号レベル領域から補正受信信号レベルの値を読み込む（処理２０４）。
【００３９】
また、このシステム制御部１の受信信号レベル（補正受信信号レベル）の読み込みに対応する受信信号レベル補正部１９の処理の一例を図８に示す。
【００４０】
受信信号レベル補正部１９は、読込リクエストビットＲＲＢが「１」にセットされることを監視しており（判断３０１のＮＯループ）、読込リクエストビットＲＲＢが「１」にセットされて、判断３０１の結果がＹＥＳになると、受信信号レベル算出部１８から出力されている受信信号レベル信号ＬＳを入力し（処理３０２）、ＲＡＭ２１の補正値領域から補正値を読み込み（処理３０３）、受信信号レベル信号ＬＳの値に補正値を加えて補正受信信号レベルを算出し（処理３０４）、その算出して得た補正受信信号レベルを、ＲＡＭ２１の補正受信信号レベル領域に保存する（処理３０５）。
【００４１】
そして、ステータス情報の読込リクエストビットＲＲＢを「０」にクリアして（処理３０６）、システム制御部１に補正受信信号レベルの書き込みを通知すると、この処理を終了する。
【００４２】
このようにして、本実施例では、受信信号レベルの補正を、グループ３ファクシミリモデム９で実行しているので、システム制御部１が受信信号レベルの補正演算を実行する必要がなく、システム制御部１の処理が軽減される。
【００４３】
また、ホスト装置側で受信信号レベルを補正演算する必要がないので、汎用的なグループ３ファクシミリモデム９を実現することができる。
【００４４】
ところで、上述した実施例では、ビットスイッチ２０を用いて、受信信号レベルの補正値を設定入力するようにしているが、システム制御部１がＲＡＭ２１の補正値領域に補正値を書き込み、それによって、グループ３ファクシミリモデム９の復調ユニットに、受信信号レベルの補正値を設定することもできる。
【００４５】
かかる場合のグループ３ファクシミリモデム９の復調ユニットの一例を図９に示す。なお、同図において、図３と同一部分および相当する部分には、同一符号を付している。
【００４６】
同図において、受信信号ＳＲは、アナログ／デジタル変換器１５を介して対応するデジタル信号に変換された後、自動利得制御増幅器１６を介して一定振幅値の信号に増幅処理され、その後に、復調処理部１７に加えられる。
【００４７】
復調処理部１７は、入力される一定振幅値の受信信号（デジタル信号）に基づき、低域通過フィルタ処理、タイミング再生処理、自動等化処理、位相同期処理、判定処理、デスクランブラ処理等の周知の所定の復調処理を適用し、受信データＲＤを形成するものであり、その受信データＲＤは、内部バス１１を介して次段装置に加えられる。
【００４８】
自動利得制御増幅器１６は、入力した受信信号（デジタル信号）ＳＲを一定振幅値の信号に増幅処理したときの利得調整幅をあらわす利得調整幅信号ＳＳを形成し、この利得調整幅信号ＳＳは、受信信号レベル算出部１８に加えられる。
【００４９】
受信信号レベル算出部１８は、利得調整幅信号ＳＳに基づいて周知の受信信号レベル算出の演算処理を適用し、受信信号ＳＲの信号レベルを算出するものであり、その算出結果得られた受信信号レベル信号ＬＳは、受信信号レベル補正部１９に加えられている。
【００５０】
ＲＡＭ２１は、受信信号レベル補正部１９、および、グループ３ファクシミリモデム９の他の要素のワークエリアを構成するとともに、外部装置（この場合は、システム制御部１）との間で種々のデータをやりとりするためのインタフェース手段のバッファ機能を実現するものである。このＲＡＭ２１の記憶領域は、上述したように、受信信号レベル補正部１９が算出した補正受信信号レベルを保存するための補正受信信号レベル領域、システム制御部１が受信信号レベルの補正値を保存するための補正値領域、および、他の適宜なワークエリアにそれぞれ分割割り当てされている。
【００５１】
受信信号レベル補正部１９は、ＲＡＭ２１の補正値領域から読み出した補正値の値を、受信信号レベル算出部１８より入力した受信信号レベル信号ＬＳに加えて補正受信信号レベル信号を形成するものであり、その補正受信信号レベル信号は、ＲＡＭ２１の補正受信信号レベル領域に保存される。
【００５２】
この場合、システム制御部１は、電源投入時、あらかじめ設定されている受信信号レベルの補正値を取り出して、図１０に示した処理を実行し、ＲＡＭ２１の補正値領域にその補正値の値を書き込む。なお、この場合、受信信号レベルの補正値としては、あらかじめ測定し、ＲＯＭ２の所定領域に保存しておいたものを読み出して用いることができる。あるいは、所定のビットスイッチに補正値に対応したパラメータをセットしておき、そのパラメータを用いて上述した実施例と同様の補正値テーブルを参照することにより、補正値を取り出すことで得ることもできる。
【００５３】
すなわち、ＲＡＭ２１の補正値領域のアドレスを書き込みアドレスにセットするとともに（処理４０１）、上述したようにして取り出した補正値の値を書込データにセットし（処理４０２）、ステータス情報の書込リクエストビットＷＲＢを「１」にセットする（処理４０３）。
【００５４】
これにより、受信信号レベル補正部１９は、書込データと指定された値を、指定された書込アドレスのＲＡＭ２１の領域に保存して、ステータス情報の書込リクエストビットＷＲＢを「０」にクリアする。
【００５５】
一方、システム制御部１は、書込リクエストビットＷＲＢが、受信信号レベル補正部１９によってクリアされることを監視しており（判断４０４のＮＯループ）、書込リクエストビットＷＲＢがクリアされて判断４０４の結果がＹＥＳになると、ＲＡＭ２１の補正値領域に補正値が書き込まれたので、この処理を終了する。
【００５６】
また、このシステム制御部１の補正値の書込処理に対応する受信信号レベル補正部１９の処理の一例を図１１に示す。
【００５７】
受信信号レベル補正部１９は、書込リクエストビットＷＲＢが「１」にセットされることを監視しており（判断５０１のＮＯループ）、書込リクエストビットＷＲＢが「１」にセットされて、判断５０１の結果がＹＥＳになると、そのときに指定されている書込アドレスと書込データを入力し（処理５０２）、その入力した書込アドレスのＲＡＭ２１の領域（すなわち、補正値領域）に、書込データの値（すなわち、補正値）を書き込む（処理５０３）。これにより、システム制御部１から指定された補正値が、ＲＡＭ２１の補正値領域に書き込まれる。
【００５８】
そして、ステータス情報の書込リクエストビットＷＢを「０」にクリアして（処理５０４）、システム制御部１に補正値の書き込みを通知すると、この処理を終了する。
【００５９】
図１２は、本発明のさらに他の実施例にかかるグループ３ファクシミリモデム９の復調ユニットの要部を示している。なお、同図において、図３と同一部分および相当する部分には、同一符号を付している。
【００６０】
同図において、受信信号ＳＲは、アナログ／デジタル変換器１５を介して対応するデジタル信号に変換された後、自動利得制御増幅器１６を介して一定振幅値の信号に増幅処理され、その後に、復調処理部１７に加えられる。
【００６１】
復調処理部１７は、入力される一定振幅値の受信信号（デジタル信号）に基づき、低域通過フィルタ処理、タイミング再生処理、自動等化処理、位相同期処理、判定処理、デスクランブラ処理等の周知の所定の復調処理を適用し、受信データＲＤを形成するものであり、その受信データＲＤは、内部バス１１を介して次段装置に加えられる。
【００６２】
自動利得制御増幅器１６は、入力した受信信号（デジタル信号）ＳＲを一定振幅値の信号に増幅処理したときの利得調整幅をあらわす利得調整幅信号ＳＳを形成し、この利得調整幅信号ＳＳは、受信信号レベル算出部１８に加えられる。
【００６３】
受信信号レベル算出部１８は、利得調整幅信号ＳＳに基づいて周知の受信信号レベル算出の演算処理を適用し、受信信号ＳＲの信号レベルを算出するものであり、その算出結果得られた受信信号レベル信号ＬＳは、受信信号レベル補正部１９に加えられている。
【００６４】
レジスタ２５は、所定ビット数（例えば、３ビットあるいは４ビット等）の補正ビットデータＢＤを記憶するものであり、このレジスタ２５に記憶されている補正ビットデータＢＤは、受信信号レベル補正部１９に加えられている。
【００６５】
受信信号レベル補正部１９は、レジスタ２５補正ビットデータＢＤに対応した補正値を、上述と同様の補正値テーブルより得て、受信信号レベル算出部１８より入力した受信信号レベル信号ＬＳに、その補正値の値を加えて補正受信信号レベル信号を形成するものであり、その補正受信信号レベル信号は、ＲＡＭ２１の所定領域に保存される。
【００６６】
ＲＡＭ２１は、受信信号レベル補正部１９、および、グループ３ファクシミリモデム９の他の要素のワークエリアを構成するとともに、外部装置（この場合は、システム制御部１）との間で種々のデータをやりとりするためのインタフェース手段のバッファ機能を実現するものである。
【００６７】
この場合、レジスタ２５に書き込まれる補正ビットデータＢＤは、システム制御部１により与えられ、補正ビットデータＢＤのレジスタ２５への書き込みは、受信信号レベル補正部１９が実行する。このときのシステム制御部１が実行する処理は、図１０と同様の処理である。ただし、書き込みアドレスとしてセットする値は、レジスタ２５を指定するアドレスデータである。
【００６８】
補正ビットデータＢＤのレジスタ２５への書き込み処理の一例を図１３に示す。
【００６９】
受信信号レベル補正部１９は、書込リクエストビットＷＲＢが「１」にセットされることを監視しており（判断６０１のＮＯループ）、書込リクエストビットＷＲＢが「１」にセットされて、判断６０１の結果がＹＥＳになると、そのときに指定されている書込アドレスと書込データを入力し（処理６０２）、その入力した書込アドレスで指定された対象（この場合はレジスタ２５）に、書込データの値（すなわち、補正ビットデータＢＤ）を書き込む（処理６０３）。これにより、システム制御部１から指定された補正ビットデータＢＤの値が、レジスタ２５に書き込まれる。
【００７０】
そして、ステータス情報の書込リクエストビットＷＢを「０」にクリアして（処理６０４）、システム制御部１に補正値の書き込みを通知する。
【００７１】
次いで、レジスタ２５から出力される補正ビットデータＢＤを入力し（処理６０５）、その補正ビットデータＢｄに対応した補正値を、補正値テーブルより取り出し、その補正値の値をＲＡＭ２１の補正値領域に保存し（処理６０６）、この処理を終了する。
【００７２】
ところで、上述した実施例では、本発明をグループ３ファクシミリ装置に組み込んだグループ３ファクシミリモデムについて適用したが、単体のモデム装置についても、本発明を同様にして適用することができる。
【００７３】
【発明の効果】
以上説明したように、本発明によれば、変復調装置側で、網制御装置にかかる信号レベル差に応じた受信信号の補正を行っているので、ホスト装置側では、かかる受信信号の補正処理を実行する必要がなく、ホスト装置の処理を軽減することができるという効果を得る。
【００７４】
また、種々の装置に組み込まれる変復調装置に必要な受信信号レベルの補正処理を、同一の変復調装置で実現できるので、多数の装置で同一の変復調装置を共用することができ、したがって、変復調装置の汎用性が向上するとともに、量産性が向上し、装置コストを低減することができるという効果も得る。
【図面の簡単な説明】
【図１】本発明の一実施例にかかるグループ３ファクシミリ装置の構成を示したブロック図。
【図２】網制御装置の受信信号にかかる構成の概略を示したモデルブロック図。
【図３】本発明の一実施例にかかるグループ３ファクシミリモデムの復調ユニットの要部構成を示したブロック図。
【図４】ＲＡＭの記憶領域の割り当てについて例示した概略図。
【図５】補正値テーブルの２つの例を示した概略図。
【図６】電源投入時に、グループ３ファクシミリモデムの復調ユニットが実行する処理の一部を示したフローチャート。
【図７】システム制御部が実行する受信信号レベルの読込処理の一例を示したフローチャート。
【図８】図７のシステム制御部の受信信号レベル（補正受信信号レベル）の読み込みに対応する受信信号レベル補正部の処理の一例を示したフローチャート。
【図９】本発明の他の実施例にかかるグループ３ファクシミリモデムの復調ユニットの要部構成を示したブロック図。
【図１０】電源投入時、あらかじめ設定されている受信信号レベルの補正値をＲＡＭの補正値領域に書き込むためにシステム制御部が実行する処理の一例を示したフローチャート。
【図１１】図１０のシステム制御部の補正値の書込処理に対応する受信信号レベル補正部の処理の一例を示したフローチャート。
【図１２】本発明のさらに他の実施例にかかるグループ３ファクシミリモデムの復調ユニットの要部を示したブロック図。
【図１３】補正ビットデータのレジスタへの書き込み処理の一例を示したフローチャート。
【符号の説明】
１  システム制御部
２  ＲＯＭ（リード・オンリ・メモリ）
３，２１  ＲＡＭ（ランダム・アクセス・メモリ）
１６  自動利得制御増幅器
１８  受信信号レベル算出部
１９  受信信号レベル補正部
２０  ビットスイッチ
２５  レジスタ
【図１】
0003636230.tif 000002
【図２】
0003636230.tif 000003
【図３】
0003636230.tif 000004
【図４】
0003636230.tif 000005
【図５】
0003636230.tif 000006
【図６】
0003636230.tif 000007
【図７】
0003636230.tif 000008
【図８】
0003636230.tif 000009
【図９】
0003636230.tif 000010
【図１０】
0003636230.tif 000011
【図１１】
0003636230.tif 000012
【図１２】
0003636230.tif 000013
【図１３】
0003636230.tif 000014